(57)【要約】【課題】表示板ベースの表面に表示された特定の表示に対応する方向の状況を、表示板を見るだけで把握できるようにしたミラー組込み表示板を提供する。【解決手段】フレネルミラー３が取り付けられた表示板ベース２と、この表示板ベース２の表面に表示された特定の表示９とを有し、フレネルミラー３に対向した際に、特定の表示９に対応する方向がフレネルミラー３によって見えるようにしたので、特定の表示９に対応する方向に移動したり、視線を移さなくても、表示板１を見るだけで、その方向の状況を把握することができる。【選択図】図１
2011209342.tif 000002
【特許請求の範囲】
【請求項１】
平面状の透明プラスチック板の裏面に、多数の環状傾斜溝が同心円状に形成されるとともに、この裏面に反射膜が積層されたフレネルミラーと、このフレネルミラーが取り付けられた表示板ベースと、この表示板ベースの表面に表示された特定の表示とを有し、このフレネルミラーに対向した際に、前記特定の表示に対応する方向がフレネルミラーによって見えるようにしたミラー組込み表示板。
【請求項２】
前記特定の表示が、この特定の表示に対応する方向を示す表示部を有する請求項１に記載のミラー組込み表示板。
【請求項３】
前記特定の表示に対応する方向を示す表示部が矢印である請求項２に記載のミラー組込み表示板。
【請求項４】
前記フレネルミラーの表面と表示板ベースの表面とが同じレベルである請求項１〜３のいずれかに記載のミラー組込み表示板。
【請求項５】
Ｔ字通路の突き当たりの壁面に設置される請求項１〜４のいずれかに記載のミラー組込み表示板。
【請求項６】
扉の表面に設置される請求項１〜４のいずれかに記載のミラー組込み表示板。
【発明の詳細な説明】
【技術分野】
【０００１】
本発明は、ミラー組込み表示板に関し、さらに詳しくは、表示板ベースの表面に表示された特定の表示に対応する方向の状況を、表示板を見るだけで把握できるようにしたミラー組込み表示板に関するものである。
【背景技術】
【０００２】
特定の場所、特定の場所に設置された物等を第三者に知らせるために、表示板には必要な情報が表示されている。例えば、建物内においては、トイレ、会議室等の特定の場所や、消火器や非常ボタン等のその場所に設置されている特定の物を示すために、壁面に取り付けられた表示板には、その特定の場所や特定の物を示す表示が記載されている。屋外でも同様の表示板が設置されている。一般的に、人は表示板の表示を見て、この表示に基づいて行動しており、表示板によって誘導されている。このように表示板は、第三者に必要な情報を提供するので、目に付き易くするために様々な工夫がなされている（例えば、特許文献１参照）。
【０００３】
しかしながら、従来の表示板では、表面に表示された特定の表示に対応する方向の状況を把握するには、実際に、その方向に移動したり、その方向に視線を移さなければならないという問題があった。そのため、移動したり、視線を移す際に、注意が散漫になって人や物に衝突することがある。
【０００４】
また、表示板の表示に従って、実際にその方向に移動した後に、その方向が混雑している場合がある。このような場合、表示板の特定の表示に対応する方向の状況を事前に把握できれば、無駄な移動をする必要もなく、また、混雑を回避することもでき、より適切な行動をすることが可能になる。
【先行技術文献】
【特許文献】
【０００５】
【特許文献１】特開平８−３０５３０９号公報
【発明の概要】
【発明が解決しようとする課題】
【０００６】
本発明の目的は、表示板ベースの表面に表示された特定の表示に対応する方向の状況を、表示板を見るだけで把握できるようにしたミラー組込み表示板を提供することにある。
【課題を解決するための手段】
【０００７】
上記目的を達成するため本発明のミラー組込み表示板は、平面状の透明プラスチック板の裏面に、多数の環状傾斜溝が同心円状に形成されるとともに、この裏面に反射膜が積層されたフレネルミラーと、このフレネルミラーが取り付けられた表示板ベースと、この表示板ベースの表面に表示された特定の表示とを有し、このフレネルミラーに対向した際に、前記特定の表示に対応する方向がフレネルミラーによって見えるようにしたことを特徴とする。
【発明の効果】
【０００８】
本発明のミラー組込み表示板によれば、フレネルミラーが取り付けられた表示板ベースと、この表示板ベースの表面に表示された特定の表示とを有し、このフレネルミラーに対向した際に、特定の表示に対応する方向がフレネルミラーによって見えるようにしたので、特定の表示に対応する方向に顔を向けて目視しなくても、特定の表示とともにフレネルミラーを見るだけで、この方向の状況を把握することができる。それ故、この表示板によって適切な誘導を行なうことが可能になり、人や物との不用意な衝突を回避したり、混雑緩和等には有利になる。
【０００９】
ここで、前記特定の表示が、この特定の表示に対応する方向を示す表示部を有する仕様にすることもできる。この仕様によれば、この方向を示す表示部によって、この方向に対する意識が喚起されるので、この方向の状況をより確実に把握し易くなる。
【００１０】
前記特定の表示に対応する方向を示す表示部を矢印にすることもできる。この場合、この方向を示す矢印によって、この方向が一見して分かるので、この方向の状況をさらに確実に把握し易くなる。
【００１１】
前記フレネルミラーの表面と表示板ベースの表面とが同じレベルである仕様にすることもできる。この仕様によれば、表示板の表面が平坦になるので、何かが引っ掛かったり、フレネルミラーと表示板ベースとの段差にゴミ等が堆積することを防止することができる。
【００１２】
本発明のミラー組込み表示板は、例えば、Ｔ字通路の突き当たりの壁面、または、扉の表面に設置される。Ｔ字通路の突き当たりの壁面にミラー組込み表示板を設置することにより、特定の表示に対応する方向が見通しのきかないＴ字路の死角領域であっても、その状況を把握することが可能になる。扉の表面にミラー組込み表示板を設置することにより、扉を開ける際に自身の後方および周囲の状況を把握することが可能になる。
【図面の簡単な説明】
【００１３】
【図１】本発明のミラー組込み表示板を例示する正面図である。
【図２】図１のＡ−Ａ断面の一部拡大図である。
【図３】ミラー組込み表示板の変形例を示す図１のＡ−Ａ断面の一部拡大図である。
【図４】ミラー組込み表示板の変形例を示す図１のＡ−Ａ断面の一部拡大図である。
【図５】ミラー組込み表示板を、Ｔ字通路の突き当たりの壁面に設置した状態を例示する平面図である。
【図６】ミラー組込み表示板を、扉の表面に設置した状態を例示する平面図である。
【図７】ミラー組込み表示板の別の実施形態を例示する正面図である。
【発明を実施するための形態】
【００１４】
以下、本発明のミラー組込み表示板を、図に示した実施形態に基づいて説明する。
【００１５】
図１および図２に例示するように、本発明のミラー組込み表示板１(以下、表示板１という)は、表示板ベース２とフレネルミラー３とを有している。尚、図１〜４における一点鎖線ＣＬは、フレネルミラー３の上下方向中心線である。
【００１６】
表示板ベース２は、樹脂や金属等で形成されており、材質は特に限定されるものではない。この実施形態の表示板ベース２は、正面視で四角形状であり、均一な厚さの平板（平面状）になっている。表示板ベース２の形状は四角形状に限定されず、円形、楕円形、三角形、その他の多角形、任意の形状など種々の形状を採用することができるが、平面状のものが好ましい。表示板ベース２の厚さは、例えば、１ｍｍ〜５ｍｍ程度である。四角形状の表示板ベース２の場合、その大きさは例えば、一辺が５０ｍｍ〜１０００ｍｍ程度である。
【００１７】
フレネルミラー３は、両面テープ８を介して表示板ベース２の表面に取り付けられている。このフレネルミラー３は、平面状の透明プラスチック板４と反射膜６とを備えており、反射膜６の裏面には塗料等からなる保護層７が設けられている。透明プラスチック板４の裏面には、多数の環状傾斜溝５が同心円状に形成されていて、この多数の環状傾斜溝５を覆うように、プラスチック板４の裏面には反射膜６が積層されている。これら環状傾斜溝５の半径方向配置ピッチは、例えば０．１ｍｍ〜０．５ｍｍ、好ましくは０．２ｍｍ〜０．３ｍｍ程度である。
【００１８】
環状傾斜溝５は、同心円中心に対して外側に傾斜する傾斜面を有し、その傾斜面の傾斜角度は、同心円中心から半径方向外側になるほど大きくなるように形成されている。この傾斜角度および傾斜角度の変化具合は、表示板１の設置場所や後述する特定の表示９の内容等に応じて適宜決定される。
【００１９】
透明プラスチック板４の材質としては、ポリカーボネート（ＰＣ）、アクリル（ＰＭＭＡ）、塩化ビニル（ＰＶＣ）、ポリエチレン（ＰＥＴ）等の透明性に優れた樹脂を例示することができる。透明プラスチック板４の厚さは、例えば０．５ｍｍ〜３．０ｍｍ程度である。
【００２０】
反射膜６としては、金属蒸着膜や金属メッキ膜等を用いることができる。反射膜６の厚さは、例えば１０ｎｍ〜２００ｎｍ程度である。
【００２１】
フレネルミラー３の形状は特に限定されず、正面視で四角形状、円形、楕円形、三角形、その他の多角形、任意の形状など種々の形状を採用することができる。表示板ベース２におけるフレネルミラー３の配置は特に限定されず、表示板ベース２の中央部、上方に偏った位置、下方に偏った位置、左右のいずれか一方の偏った位置等任意の配置にすることができる。
【００２２】
図３に例示するように、表示板ベース２の表面に設けられた嵌合凹部２ａに、フレネルミラー３を嵌め込んで両面テープ８を介して取り付けることもできる。この実施形態では、表面板ベース２の表面とフレネルミラー３の表面とは同じレベルになっており、表示板１の表面は平坦になっている。そのため、表示板１に何かが引っ掛かったり、フレネルミラー３の上端面にゴミ等が堆積することを防止することができる。
【００２３】
図４に例示するように、表示板ベース２に設けられた嵌合穴部２ｂに、フレネルミラー３を嵌め込んで取り付けることもできる。表面板ベース２の表面とフレネルミラー３の表面とは同じレベルになっている。この仕様では、表示板ベース２とフレネルミラー３とが実質的に同じ厚さであり、表示板１の厚さを最小限にすることができる。
【００２４】
表示板ベース２の周縁の一部を切欠いた切欠き部に、フレネルミラー３を嵌め込んで取り付けることにより、フレネルミラー３を、表示板ベース２の上下左右のいずれかに偏って配置した仕様にすることもできる。本発明において、表示板ベース２にフレネルミラー３を取り付けるには、両面テープ８や単なる嵌合に限らず、接着剤やネジ等の他の手段を用いることができる。
【００２５】
表示板ベース２の表面には、フレネルミラー３の外側周辺（この実施形態ではフレネルミラー３の上側周辺）に特定の表示９が示されている。特定の表示９の配置は、フレネルミラー３に対して上下左右のいずれの側でもよいが、特定の表示９に対応する方向と同じ方向側或いはフレネルミラー３の上側周辺、下側周辺に配置するのがよい。
【００２６】
尚、平面状の透明プラスチック板４の裏面の全範囲または一部の範囲に、多数の環状傾斜溝５を同心円状に形成し、この裏面に反射膜６を積層することによりフレネルミラー３を設け、この透明プラスチック板４の表面に特定の表示９を配置して、本発明の表示板１にすることもできる。即ち、透明プラスチック板４と表示板ベース２とを兼用することで、フレネルミラー３が取り付けられた表示板ベース２を構成することもできる。
【００２７】
特定の表示９とは、特定の場所、特定の物、特定の方向の状態等を示す表示である。また、特定の表示９に対応する方向とは、特定の表示９が示す特定の場所、特定の物、特定の状態等が存在している方向である。
【００２８】
特定の表示９は、特定の表示部９ａだけで構成することもでき、特定の表示９に対応する方向を示す表示部９ｂ（以下、方向表示部９ｂという）を加えて構成することもできる。特定の場所を表示する特定の表示部９ａとしては、「トイレ」、「会議室」、「受付」、「会計レジ」、「食品売り場」等を例示できる。特定の物を示す特定の表示部９ａとしては、「消火器」、「非常ボタン」、「ごみ箱」、「電話」等を例示できる。特定の方向の状態等を示す特定の表示部９ａとしては、「危険」、「注意」、「工事中」、「養生中」、「関係者以外立ち入り禁止」等を例示できる。
【００２９】
方向表示部９ｂとは、例えば、「右」、「左」、「上」、「下」、「頭上」、「足元」、「後方」、「ココ」、「矢印（←、→、↑、↓）」等である。
【００３０】
人Ｈがフレネルミラー３に対向した位置でフレネルミラー３を見た際には、フレネルミラー３の上下左右の全方向の周辺領域を見ることができる。したがって、図１に例示した表示板１(フレネルミラー３)に人Ｈが対向した際には、その人Ｈは、特定の表示９に対応する方向（ここでは右側）がフレネルミラー３によって見えるようになっている。
【００３１】
例えば、図５に示すように、通路１１と通路１１とが交差するＴ字通路の突き当たりの壁面Ｗに表示板１が設置され、特定の表示部９ａとして対象物１０の名称（例えば、「消火器」）が記載されていると、表示板１(フレネルミラー３)に対向した人Ｈは、Ｔ字交差点まで移動しなくても、特定の表示９に対応する方向をフレネルミラー３によって見ることができる。即ち、その位置で表示板１を見るだけで（特定の表示９とともにフレネルミラー３を見るだけ）で、特定の表示９に対応する方向に存在している対象物１０（ここでは、消火器）を把握することができる。尚、表示板１は、両面テープ、接着剤、フック掛け、ネジ等の適当な手段によって壁面Ｗに取り付けられる。
【００３２】
図１の表示板１には、特定の表示部９ａに加えて、方向表示部９ｂとして右矢印（→）が表記されているため、この方向に対する意識が喚起されて、この方向の状況をより確実に把握し易くなる。方向表示部９ｂは矢印ではなく、「右側」等の表記にすることもできるが、矢印を採用すると、この方向が一見して分かるので、この方向の状況を一段と把握し易くなる。対象物１０を確認するために無駄な移動をすることもないので、不用意に人や物に衝突する危険を回避することができる。特に、Ｔ字通路の突き当たりでは、死角領域があって危険であるが、このように表示板１を設置することにより、死角領域の状況が把握できる。
【００３３】
別の例として、図５に記載された対象物１０がトイレである場合は、特定の表示９（特定の表示部９ａ）として「トイレ」と表記し、より好ましくは、図１のように方向表示部９ｂも表記する。この場合、表示板１(フレネルミラー３)に対向した人Ｈは、Ｔ字交差点まで移動しなくても、その位置で表示板１を見るだけで、特定の表示９に対応する方向に存在している対象物１０（トイレ）を把握することができる。ここで、トイレが清掃中であったり混雑していれば、事前にそれが把握できるので、無駄な移動することなく、別の場所のトイレに向かうことができる。このように、表示板１によって適切な誘導が行なわれて混雑緩和にも有益である。
【００３４】
別の例として、通路１１の天井を工事している場合や雨漏りしている場合は、その近辺の壁面に表示板１を設置して、特定の表示９として、方向表示部９ｂと特定の表示部９ａを組み合わせて「上方注意」、「頭上注意」等を表示する。これにより、通路１１を通行する人Ｈは、表示板１を見るだけで特定の表示９に対応する方向の状態を把握することができる。即ち、上方に顔を向けたり、視線を移す必要がないので不用意な衝突等を回避することができる。
【００３５】
図６に例示するように、扉１２の表面に表示板１を設置することもできる。この場合は、例えば、特定の表示９（特定の表示部９ａ）として「関係者以外立ち入り禁止」と表記する。方向表示部９ｂとして「後方注意」等を追加することもできる。これにより、扉１２を開ける際に、自身の後方および周囲の状況を把握することが可能になるので、周囲を見渡さなくても不審者の侵入を防止することが可能になる。
【００３６】
表示板ベース２の表面には図７に例示するように、複数の特定の表示９を表示することもできる。この表示板１を建物のロビーの壁面Ｗ等に設置すれば、表示板１によって適切な誘導を行なうことが可能になる。
【００３７】
表示板１は上記した場所に限らず、屋内外の壁面、柱など、人目に付く適切な場所に設置することができ、表示板ベース２の表面には必要とされる様々な特定の表示９が表示される。
【符号の説明】
【００３８】
１  ミラー組込み表示板
２  表示板ベース
２ａ  嵌合凹部
２ｂ  嵌合穴部
３  フレネルミラー
４  透明プラスチック板
５  環状傾斜溝
６  反射膜
７  保護層
８  両面テープ
９  特定の表示
９ａ  特定の表示部
９ｂ  方向表示部
１０  対象物
１１  通路
１２  扉
Ｗ  壁面
Ｈ  人
【図１】
2011209342.tif 000003
【図２】
2011209342.tif 000004
【図３】
2011209342.tif 000005
【図４】
2011209342.tif 000006
【図５】
2011209342.tif 000007
【図６】
2011209342.tif 000008
【図７】
2011209342.tif 000009